(57)【要約】【課題】暗記していない単語を簡単に抽出して効率的に暗記ができる単語記憶用ノートを提供する。【解決手段】単語記憶用ノート１００は、複数のページＰＧからなり、単語を記載するための複数の単語記載欄１１０と、各単語記載欄１１０に対応して設けられるチェック欄１２０と、が設けられ、チェック欄１２０には、複数のチェックボックス１２２が並んで設けられる。各チェック欄１２０の複数のチェックボックス１２２は、複数のグループＧ１〜Ｇ４に分別されて、グループＧ１〜Ｇ４ごとに異なる色で表される。かかる構成によれば、暗記の状態や復習回数を管理することにより、暗記していない単語を簡単に抽出して効率的に暗記ができる。また、どのチェックボックス１２２までチェックされているかが視認しやすい。【選択図】図１
0003212731.tif 000002
【実用新案登録請求の範囲】
【請求項１】
複数のページからなる単語記憶用ノートであって、
単語を記載するための複数の単語記載欄と、
前記各単語記載欄に対応して設けられるチェック欄と、
が設けられ、
前記チェック欄には、複数のチェックボックスが並んで設けられることを特徴とする、単語記憶用ノート。
【請求項２】
前記各チェック欄の複数のチェックボックスは、複数のグループに分別されて、グループごとに異なる色又は形状で表されることを特徴とする、請求項１に記載の単語記憶用ノート。
【考案の詳細な説明】
【技術分野】
【０００１】
本考案は、単語を記憶するための単語記憶用ノートに関する。
【背景技術】
【０００２】
従来、単語を記憶するツールとして、単語カードや単語帳などが用いられていた。単語カードや単語帳では、単語とその単語の意味や読み方などが記載される。そして、単語とその単語の意味や読み方などのいずれか一方を見て他方を回答することによって単語を暗記することができる（例えば、非特許文献１参照）。
【先行技術文献】
【非特許文献】
【０００３】
【非特許文献１】インターネット＜ＵＲＬ：http://goo.gl/HvGJQz＞
【考案の概要】
【考案が解決しようとする課題】
【０００４】
しかしながら、単語カードや単語帳では、単語の暗記回答はその場限りのものであり、以前の回答が正しいか否かを再利用できない。また、復習回数の管理もできない。このため、単語を暗記しているか否かにかかわらず、毎回、全部の単語を回答しなければならないという問題があった。
【０００５】
そこで本考案は、このような問題に鑑みてなされたものであり、その目的とするところは、暗記していない単語を簡単に抽出して効率的に暗記ができる単語記憶用ノートを提供することにある。
【課題を解決するための手段】
【０００６】
上記課題を解決するために、本考案によれば、複数のページからなる単語記憶用ノートであって、単語を記載するための複数の単語記載欄と、前記各単語記載欄に対応して設けられるチェック欄と、が設けられ、前記チェック欄には、複数のチェックボックスが並んで設けられることを特徴とする、単語記憶用ノートが提供される。
【０００７】
かかる構成によれば、各単語記載欄に対応して設けられるチェック欄が設けられ、チェック欄には複数のチェックボックスが並んで設けられることによって、暗記の状態や復習回数を容易に視認することができる。このようにして、暗記していない単語を簡単に抽出して効率的に暗記ができる。
【０００８】
本考案は、さまざまな応用が可能である。本考案の応用例は、任意に組み合わせることが可能である。
【０００９】
例えば、前記各チェック欄の複数のチェックボックスは、複数のグループに分別されて、グループ毎に異なる色又は形状で表されるようにしてもよい。複数のチェックボックスが並んで設けられると、どのチェックボックスまでチェックされているかが判別しにくくなるおそれがある。この点、チェックボックスが複数のグループに分別されて、グループ毎に異なる色又は形状で表されることによって、どのチェックボックスまでチェックされているかが視認しやすい。このようにして、さらに効率的に暗記ができる。
【考案の効果】
【００１０】
本考案によれば、暗記していない単語を簡単に抽出して効率的に暗記ができる単語記憶用ノートが提供される。本考案のその他の効果については、以下の考案を実施するための形態の項でも説明する。
【図面の簡単な説明】
【００１１】
【図１】単語記憶用ノート１００の全体構成を概略的に示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
本考案の一実施形態について説明する。図１は、単語記憶用ノート１００の全体構成を概略的に示す図である。
【００１４】
本実施形態にかかる単語記憶用ノート１００は、図１に示したように、複数のページＰＧからなり、単語を記載するための複数の単語記載欄１１０と、各単語記載欄１１０に対応して設けられるチェック欄１２０と、が設けられる。そして、チェック欄１２０には、複数のチェックボックス１２２が並んで設けられることを特徴とする。以下、各構成要素について詳細に説明する。
【００１５】
（単語記載欄１１０）
単語記載欄１１０は、単語を記載するための欄である。単語記載欄１１０は、図１に示したように、ページＰＧの左端に上下方向に複数設けられ、横線１１２−１、１１２−２、・・・によって構成される。単語記憶用ノート１００の使用者は、上下の横線１１２−１、１１２−２、・・・に沿って単語を記載する。図１に示した一例では、横線１１２が２５個設けられ、２５個の単語を記載することができる。
【００１６】
（チェック欄１２０）
チェック欄１２０は、単語を暗記したかどうかを記す欄である。チェック欄１２０は、図１に示したように、各単語記載欄１１０に対応して、単語記載欄１１０の右側に設けられる。チェック欄１２０は、ページＰＧの左右方向に設けられる１２個のチェックボックス１２２からなる。
【００１７】
チェックボックス１２２は、丸形であり、ページＰＧの左右方向に４つのグループＧ１〜Ｇ４に分別されてグループごとに異なる色で表される。１つのグループは隣り合う３つのチェックボックス１２２からなる。例えば、第１のグループＧ１は赤であり、第２のグループＧ２はオレンジであり、第３のグループＧ３は緑であり、第４のグループＧ４は青である。また、各単語記載欄１１０に対応する上下方向のチェックボックス１２２の各グループＧ１〜Ｇ４は同じ色である。
【００１８】
チェックボックス１２２には、単語を暗記している場合は〇印を付け、暗記していない場合は×印を付けるなど、使用者が適宜工夫をして印を付けることができる。チェックボックス１２２に印を付けることによって、覚えていない単語が一目でわかり、回答練習をすることができるので、時間の節約になる。
【００１９】
さらに、チェックボックス１２２には次のような効果もある。すなわち、ページＰＧの中のどの部分に記載されている単語を忘れやすいかがわかる。例えば、１００個の単語を覚えようとするときに、人によって忘れやすい部分が違う。ページＰＧの最初の部分を忘れやすい人もいれば、最後の部分を忘れやすい人もいる。もちろん真ん中周辺を忘れやすい人もいる。チェックボックス１２２に印を付けることによって、自分が一番忘れやすい部分をチェック欄１２０で強調し、忘れやすい部分の特性がわかる。よって、忘れやすい部分に入ったら、気を付けて暗記すると効果が上がる。
【００２０】
なお、本実施形態では、チェックボックス１２２の形状を丸形としたが、四角や櫻型など、適宜設計することができる。
【００２１】
以上、単語記憶用ノート１００の一構成例について説明した。本実施形態の単語記憶用ノート１００は、少なくとも１ページが上記ページＰＧであればよく、それ以外のページや表表紙・裏表紙などは、任意の構成とすることができる。
【００２２】
また、単語記憶用ノート１００は、例えば、学生向けのＢ５のノートサイズや、サラリーマン向けの手帳サイズなど、様々なサイズのノートに対応できる。手帳の場合、ページＰＧの幅に限定があるので、２ページ合わせて表示するか、チェックボックス１２２の数を減らして（例えば、９個に減らして）対応することもできる。
【００２３】
また、単語記憶用ノート１００は、さまざまに使用することができる。例えば、目次部分に単語収集源を記録し、エビングハウスの忘却曲線を活用して、復習日付を書いてそれに従って復習すると、さらに効果的に単語を暗記することができる。
【００２４】
（本実施形態の効果）
以上説明したように、本実施形態の単語記憶用ノート１００によれば、暗記の状態や復習回数を管理することにより、暗記していない単語を簡単に抽出して効率的に暗記ができる。
【００２５】
また、チェック欄１２０によって、単語の暗記状態を可視化することにより、使用者に自信を与えやる気を出させることができる。
【００２６】
また、チェックされたチェックボックス１２２の色によって暗記していない単語を見つけやすいため、より簡単に暗記していない単語を抽出することができる。
【００２７】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００２８】
例えば、上記実施形態では、複数のチェックボックス１２２は、第１〜第４のグループＧ１〜Ｇ４に分別されて、グループＧ１〜Ｇ４ごとに異なる色で表されるようにしたが、本考案はこの例に限定されない。例えば、分別するグループの数は必ずしも４つではなく、適宜設計することができる。また、必ずしもグループごとに異なる色で表されるようにしなくてもよく、例えば、グループごとに異なる形状にしてもよい。
【００２９】
以上説明した実施形態・応用例・変形例等は、適宜組み合わせて実施することができる。
【産業上の利用可能性】
【００３０】
本考案は、単語を記憶するための単語記憶用ノートに利用可能である。
【符号の説明】
【００３１】
１００  単語記憶用ノート
１１０  単語記載欄
１１２（１１２−１、１１２−２、・・・）  横線
１２０  チェック欄
１２２  チェックボックス
Ｇ１〜Ｇ４  第１〜第４グループ
ＰＧ  ページ
【図１】
0003212731.tif 000003